(57)【要約】【課題】  従来よりも製作が容易であるとともに、部品点数が少なく、コストを低減できるゴルフボールマーカ用クリップを提供する。【解決手段】  基板１の裏面に浅い凹部６が形成されているとともに、該凹部６に１個の磁石嵌合穴７が設けられ、この磁石嵌合穴７に１個の磁石４が嵌合して基板１に固着されているとともに、フック２を周縁に一体に折曲形成した裏板３が浅い凹部６に嵌合させて基板１の裏面に固着され、該裏板３で磁石４が覆われている。【選択図】  図８
0003106262.tif 000002
【実用新案登録請求の範囲】
【請求項１】
ゴルフボールマーカを基板に埋設された磁石の磁力で着脱自在に吸着して、フックにより帽子や衣服等に装着するゴルフボールマーカ用クリップにおいて、前記基板の裏面に浅い凹部が形成されているとともに、該凹部に１個の磁石嵌合穴が設けられ、この磁石嵌合穴に１個の磁石が嵌合して基板に固着されているとともに、前記フックを周縁に一体に折曲形成した裏板が前記浅い凹部に嵌合させて基板の裏面に固着され、該裏板で前記磁石が覆われていることを特徴とするゴルフボールマーカ用クリップ。
【請求項２】
裏板とフックが、基板よりも薄い板片で一体成形されていることを特徴とする請求項１に記載のゴルフボールマーカ用クリップ。
【請求項３】
浅い凹部が、基板の周縁の一部で一部分が欠如した周壁を形成し、その欠如部分にフックの根元部分が位置してフックが基板の裏側へ延びていることを特徴とする請求項１又は２に記載のゴルフボールマーカ用クリップ。
【請求項４】
裏板に滑り止めのためのエンボス加工が施されていることを特徴とする請求項１ないし３のいずれかに記載のゴルフボールマーカ用クリップ。
【考案の詳細な説明】
【技術分野】
【０００１】
本考案は、ゴルフ場でゴルフボールの位置を示すゴルフボールマーカを帽子や衣服等に着脱自在に保持しておくためのゴルフボールマーカ用クリップに関する。
【背景技術】
【０００２】
特許文献１（実用新案登録第３１０１４５６号公報）には、図１に示すようなゴルフボールマーカ用クリップが開示されている。このクリップは、横長楕円形状の磁性体製基板５０の裏面に、その長さ方向に間隔をおいて２個の円形凹所５１を設け、この円形凹所５１のそれぞれに円板状磁石５２を嵌め込んで固着し、また基板５０の裏側において、その周縁にフック５３を一体に折曲形成し、磁石５２を２個とすることにより、基板５０の表面に対するゴルフボールマーカ５４の位置が多少ずれていても、吸着できるようにしたものである。
【０００３】
また、これを変形したものとして、図２〜図４に示すように、基板５０の裏側において、その周縁にフック５３を一体に設けたことは上記と同様であるが、２個の円形凹所５１を横長楕円形状の基板５０の表面に設け、２個の磁石５２を、基板５０の表面に固着した磁性体製の表板５５で覆ったものが提供されている。
【０００４】
しかし、これらのものでは、厚板である基板５０自体にフック５３を一体に折曲形成し、しかも基板５０に２個の円形凹所５１を設けているため、フック５３の曲げ加工及び基板５０自体の成形が面倒であり、また磁石５２を２個必要としているため、部品点数が多くなり、コストが高くなる問題があった。
【特許文献１】実用新案登録第３１０１４５６号公報
【考案の開示】
【考案が解決しようとする課題】
【０００５】
そこで、本考案の目的は、従来よりも製作が容易であるとともに、部品点数が少なく、コストを低減できるゴルフボールマーカ用クリップを提供することにある。
【課題を解決するための手段】
【０００６】
本考案は、ゴルフボールマーカを基板に埋設された磁石の磁力で着脱自在に吸着して、フックにより帽子や衣服等に装着するゴルフボールマーカ用クリップであって、基板の裏面に浅い凹部が形成されているとともに、該凹部に１個の磁石嵌合穴が設けられ、この磁石嵌合穴に１個の磁石が嵌合して基板に固着されているとともに、フックを周縁に一体に折曲形成した裏板が浅い凹部に嵌合させて基板の裏面に固着され、該裏板で磁石が覆われていることを特徴とする。
【０００７】
好ましい形態では、裏板とフックが、基板よりも薄い板片で一体成形されている。
また、浅い凹部が、基板の周縁の一部で一部分が欠如した周壁を形成し、その欠如部分にフックの根元部分が位置してフックが基板の裏側へ延びている。
さらに、裏板には、滑り止めのためのエンボス加工が施されている。
【考案の効果】
【０００８】
本考案によれば、フックが基板自体ではなく磁石を覆う裏板に一体に折曲形成され、また基板の磁石嵌合穴が１個で、これに嵌合した１個の磁石のみでゴルフボールマーカを吸着するため、従来に比べて製作が容易であるとともに、コストを低減できる。
【０００９】
裏板とフックは、基板よりも薄い板材で容易に製作できる。
フックの根元部分を浅い凹部の周壁が無い側に位置させれば、フックの根元部分が基板の肉厚の範囲内に納まるので、体裁が良いとともに、帽子や衣服等に装着したときの安定性が良い。
裏板に滑り止めのためのエンボス加工を施せば、帽子や衣服等に装着したときの安定性が一層良くなる。
【考案を実施するための最良の形態】
【００１０】
次に、本考案の実施例を図面に基づいて詳細に説明する。
【実施例１】
【００１１】
図５〜図９は本考案の実施例１を示す。このゴルフボールマーカ用クリップは、厚板である磁性体製の基板１と、フック２を一体に折曲形成した板片である裏板３と、基板１に埋設される１個の円板状磁石４とからなり、この磁石４の磁力によりゴルフボールマーカ５を基板１の表面に着脱自在に吸着できるようになっている。
【００１２】
基板１は、この実施例１では横長の矩形に近い外郭形状に成形され、その裏面には、図７及び図８に示すように、基板１の外郭形状と相似な形状の浅い凹部６が形成されている。この浅い凹部６は、基板１の周縁の３つの辺縁では周壁６ａを形成しているが、一辺縁のみで周壁が欠如している。基板１の表面には彫刻や印刷等の装飾が施されている。
【００１３】
凹部６の中央には円形の磁石嵌合穴７が形成され、磁石４は、この磁石嵌合穴７に嵌合させて接着剤により基板１に固着されている。
【００１４】
裏板３のフック２を除く部分は、凹部６と合同な形状及び厚さに成形され、この裏板３を凹部６に嵌合させて接着剤により基板１に固着することにより、凹部６の全面は、磁石４及び嵌合穴７を含めてこの裏板３で覆われている。
【００１５】
裏板３のフック２を除く部分の表面には、滑り止めのためにエンボス加工３ａが施されている。フック２は、裏板３の一辺縁から裏板３上に向かってＵ字状に折曲して一体に延設され、そのＵ字状折曲部分には、適宜のバネ性をもたせるためにスリット２ａが形成されている。また、フック２の先端部２ｂは、図６に示すように、裏板３の表面との間に僅かな間隙を形成するところまで接近してから先端へ向かって遠ざかるように湾曲している。
【００１６】
裏板３を上記のように凹部６に嵌合させて基板１に固着するに当たり、裏板３の向きは、フック２の根元部分が凹部６の周壁６ａが無い側に来るようにしてあるため、フック２の根元部分は基板１の肉厚の範囲内に納まっている。
【実施例２】
【００１７】
図１０は実施例２を示す。この実施例２では、基板１の外郭形状を星形、浅い凹部６をこれに相似な星形、裏板３のフック２を除く部分を凹部６と合同な星形としたもので、その他については実施例１と同様である。
【産業上の利用可能性】
【００１８】
基板１の外郭形状は上記のような形状以外に、種々の形状が考えられる。また、浅い凹部６及びこれに嵌合する裏板３の形状は、基板１の外郭形状に相似な形状とするのが好ましいが、それと異なっていても構わない。
【図面の簡単な説明】
【００１９】
【図１】特許文献１に開示された従来例の斜視図である。
【図２】その変形として従来提供されているものの分解斜視図である。
【図３】図２に示す従来例とゴルフボールマーカの斜視図である。
【図４】同従来例においてゴルフボールマーカを吸着した状態の斜視図である。
【図５】本考案の実施例１とゴルフボールマーカの斜視図である。
【図６】実施例１の断面図である。
【図７】実施例１の分解斜視図である。
【図８】同上において磁石を固着した状態の分解斜視図である。
【図９】裏板を固着した状態の斜視図である。
【図１０】本考案の実施例２の分解斜視図である。
【符号の説明】
【００２０】
１  基板
２  フック
２ａ  スリット
２ｂ  フックの先端部
３  裏板
３ａ  エンボス加工
４  磁石
５  ゴルフボールマーカ
６  浅い凹部
６ａ  周壁
７  磁石嵌合穴
【図１】
0003106262.tif 000003
【図２】
0003106262.tif 000004
【図３】
0003106262.tif 000005
【図４】
0003106262.tif 000006
【図５】
0003106262.tif 000007
【図６】
0003106262.tif 000008
【図７】
0003106262.tif 000009
【図８】
0003106262.tif 000010
【図９】
0003106262.tif 000011
【図１０】
0003106262.tif 000012